(57)【要約】      （修正有）【課題】リサイクル品の需要者である入学生等と、リサイクル品の提供者である卒業生等との両者に納得が得られ、しかも社会的にみて生活環境の維持という面から好ましい家電製品や生活用品のリサイクル品の需給システムを提供する。【解決手段】リサイクル品の需給システムは、仲介業者１と、該仲介業者に登録されたリサイクル品の提供者５および需要者７と結合するネットワーク上のリサイクルシステムおいて、該提供者が提供しようとするリサイクル品の提供条件を該仲介業者が管理するサーバーに書込んで該需要者に閲覧可能とし、該需要者が求めるリサイクル品の需要条件を該サーバーに書込んで該提供者に閲覧可能とし、提供条件と需要条件とが一致した場合には該仲介業者は該提供者と該需要者に契約成立を通知し、一致しない場合は近似する提供条件と需要条件とを該サーバー３からサーチして該提供者と該需要者に通知して妥協条件の提示を求める。【選択図】      図１
2008102756.tif 000002
【特許請求の範囲】
【請求項１】
仲介業者と、該仲介業者に登録されたリサイクル品の提供者および需要者とを結合するネットワーク上のリサイクルシステムおいて、該提供者が提供しようとするリサイクル品の提供条件を該仲介業者が管理するサーバーに書込んで該需要者に閲覧可能とし、該需要者が求めるリサイクル品の需要条件を該サーバーに書込んで該提供者に閲覧可能とし、提供条件と需要条件とが一致した場合には該仲介業者は該提供者と該需要者に契約成立を通知し、一致しない場合は近似する提供条件と需要条件とを該サーバーからサーチして該提供者と該需要者に通知して妥協条件の提示を求め、提示された該妥協条件を改訂された提供条件および需要条件として該サーバーに書込んで前記した閲覧が可能になることを特徴とするリサイクル品の需給システム。
【請求項２】
該登録は提供者および需要者の名前が公表されないことを条件とし、リサイクル品の引渡し、および／または代金の決済は該仲介業者を介して行うことを特徴とする請求項１に記載のリサイクル品の需給システム。
【請求項３】
該提供条件と該需要条件との少なくとも一方に、該仲介業者が仲介手数料およびリサイクル品の運送料を加算して前記した閲覧可能とすることを特徴とする請求項１に記載のリサイクル品の需給システム。
【発明の詳細な説明】
【技術分野】
【０００１】
本発明は、学校における入学生や卒業生、あるいは同一会社内における転勤等の限定された組織内における人の移動に伴い発生するリサイクル品の供給、需要を満たすに適したリサイクル品の需給システムに関するものである。
【背景技術】
【０００２】
自宅から遠く離れた大学に入学すると、下宿生活や寮生活を余儀なくされる。会社における転勤等でも同様である。斯かる下宿生活等は多くの場合、さほど長い期間に渡って一箇所に居住することはなく、殆どの場合数年で転居しなければならない。下宿生活とはいえ、テレビや冷蔵庫等の家電製品、あるいはベッドや机と家具類等の生活用品はかなりの量になるから、転居の都度引越し荷物として運ぶのは大変な労力と費用を要する。かといって転居の都度新品に買い換えるのは経済的に負担が大きしいし、資源の有効利用という面からも好ましくない。
【０００３】
かかる状況を改善するため、例えば特許文献１、特許文献２にはリサイクル商品のビジネスモデルが紹介されている。
【０００４】
【特許文献１】特開２００２−３４２６１２号公報
【特許文献２】特開２００３−１２２８３０号公報
【発明の開示】
【発明が解決しようとする課題】
【０００５】
同一学校における入学生と卒業生、あるいは同一会社の転勤における新任社員と転出社員は、多くの場合同じような生活スタイルであるため、卒業生等が不要となる家電製品や生活用品は、入学生等が必要となる物と大体同種になる傾向が多い。しかし、各人の好みや経済状態が異なるため、卒業生が不要となる家電製品を、リサイクル品として無選別に入学生に売り渡したとしても不満が残ることもあり、リサイクル品の購入者である入学生が十分な満足を得られるものではない。
【０００６】
本発明は前記の課題を解決するためになされたもので、リサイクル品の需要者である入学生等と、リサイクル品の提供者である卒業生等との両者に納得が得られ、しかも社会的にみて生活環境の維持という面から好ましい家電製品や生活用品のリサイクル品の需給システムを提供することを目的とする。
【課題を解決するための手段】
【０００７】
前記の目的を達成するためになされた、特許請求の範囲の請求項１に係る発明のリサイクル品の需給システムは、仲介業者と、該仲介業者に登録されたリサイクル品の提供者および需要者と結合するネットワーク上のリサイクルシステムおいて、該提供者が提供しようとするリサイクル品の提供条件を該仲介業者が管理するサーバーに書込んで該需要者に閲覧可能とし、該需要者が求めるリサイクル品の需要条件を該サーバーに書込んで該提供者に閲覧可能とし、提供条件と需要条件とが一致した場合には該仲介業者は該提供者と該需要者に契約成立を通知し、一致しない場合は近似する提供条件と需要条件とを該サーバーからサーチして該提供者と該需要者に通知して妥協条件の提示を求め、提示された該妥協条件を改訂された提供条件および需要条件として該サーバーに書込んで前記した閲覧が可能になることを特徴とする。
【０００８】
同じく特許請求の範囲の請求項２に係る発明のリサイクル品の需給システムは、請求項１に係る発明のリサイクル品の需給システムであって、該登録は提供者および需要者の名前が公表されないことを条件とし、リサイクル品の引渡し、および／または代金の決済は該仲介業者を介して行うことを特徴とする。
【０００９】
請求項３に係る発明のリサイクル品の需給システムは、請求項１に係る発明のリサイクル品の需給システムであって、該提供条件と該需要条件との少なくとも一方に、該仲介業者が仲介手数料およびリサイクル品の運送料を加算して前記した閲覧可能とすることを特徴とする。
【発明の効果】
【００１０】
本発明のリサイクル品の需給システムは、ネットワーク上で結合するものであるから、仲介業者に登録すればリサイクル品の提供者あるいは需要者として誰にでも参加ができるという利便性を有し、一方において仲介業者が介在するため、取引の安全性を保つことができる。提供者あるいは需要者は、特定されたリサイクル品の提供条件と需要条件とが一致するまで交渉でき、双方とも納得のゆく取引が可能となる。
【００１１】
さらに本発明のリサイクル品の需給システムは、提供者および需要者の名前が公表されないことを条件に登録すれば両者の秘密は護られ、リサイクル品の引渡しや代金の決済は該仲介業者を介して行うため、取引の安全が確保される。
【００１２】
また本発明のリサイクル品の需給システムは、仲介手数料、運送料を自動的に算出加算すれば、運用の合理化が図られる。
【実施例】
【００１３】
以下、本発明の実施例を詳細に説明するが、本発明の範囲はこれらの実施例に限定されるものではない。
【００１４】
図１は本発明を適用するリサイクル品の需給システムを実施するためのハードウエアの構成例を示している。
【００１５】
同図に示すとおり、ハードウエアの構成は、サーバー３を備えた仲介業者１のパーソナルコンピュータ、リサイクル品の提供者５（例えば大学であれば卒業生）のクライアントパーソナルコンピュータ、需要者７（例えば大学であれば新入生）のクライアントパーソナルコンピュータ、およびこれらのパーソナルコンピュータを結ぶネットワーク網１０からなる。それぞれのコンピュータは演算装置、入力装置、表示装置、出力装置、メモリ、記憶装置を備えている。提供者５および需要者７は、夫々複数接続されることが多いが、単数のこともある。
【００１６】
図２は本発明を適用するリサイクル品の需給システムを実施するための実行手順を示すフローチャートの例である。
【００１７】
図１のハード構成で、供給者５からネットワーク１０を経て申し入れがあったら、仲介業者１はステップ１０１で供給者５をサーバー３に登録する。また、需要者７からネットワーク１０を経て申し入れがあったら、仲介業者１はステップ２０１で需要者７をサーバー３に登録する。申し入れの方法として、供給者５は図３に示すように、氏名、連絡先、住所等の供給者情報を入力し申し入れをする。また需要者７は図７に示すように、氏名、連絡先、住所、住居情報の有無等の需要者情報を入力し申し入れをする。
【００１８】
ステップ１０１で供給者５をサーバー３に登録したら、仲介業者１はステップ１０２で供給者５から提示された供給リサイクル品をサーバー３に登録する。またステップ２０１で需要者７をサーバー３に登録したら、仲介業者１はステップ２０２で需要者７から提示された需要リサイクル品をサーバー３に登録する。リサイクル品の提示方法として、供給者５は図４、図５に示すようにリサイクル品を選択する。また需要者７は図８に示すようにリサイクル品を選択する。
【００１９】
ステップ１０２で供給者５の供給リサイクル品をサーバー３に登録したら、仲介業者１はステップ１０３で供給者５から提示された価格等供給条件をサーバー３に登録する。またステップ２０２で需要者７の需要リサイクル品をサーバー３に登録したら、仲介業者１はステップ２０３で需要者７から提示された価格等需要条件をサーバー３に登録する。価格等の条件を提示する方法として、供給者５は図４、図５に示すようにメーカー、年式、型番、使用状況、価格等であり、必要に応じて物品の写真の添付、コメントをする。また需要者７は図８に示すように価格を入力する。
【００２０】
ステップ１０３、２０３で供給者５、需要者７は共に図９に示すように取引の希望日時をスケジュールより選択する。
【００２１】
ここで図７に示された住居情報の有無の入力の必要性だが、これは卒業生が住んでいた住居先とそこで使用していた生活用品をそのまま次の住居者に引き渡すシステムを作る為に必要なステップである。大学生が使用する生活用品はほぼ一緒である。また大半の人が一人暮らしなので必要とする大きさもほぼ一緒である。同時に居住先については大半が卒業生が引越しをした所に新入生が入居する。そこでこのシステムを作ることにより、生活用品の配送の手間が省かれ卒業生、新入生にとって両者にメリットが出てくる。また不動産業者でも次の入居者の確保が出来るので三者にとってメリットがあるシステムである。
【００２２】
ステップ１０３では上記のシステムを行う為に、供給者５は図６に示すように住居情報として部屋、大きさ、階、家賃、写真、位置情報、不動産連絡先、コメントをする。
【００２３】
ステップ１０１、ステップ１０２、ステップ１０３で登録された供給者５の条件とステップ２０１、ステップ２０２、ステップ２０３で登録された需要者７の条件をステップ３０１で照らし合わせ条件が一致しなければ、ステップ３０２で妥協条件を提示する。
【００２４】
ステップ３０３では供給者５に対し妥協条件受入確認をする。供給者５が受入を拒否すればステップ３０２に戻り再度妥協条件を提示する。供給者５が受入を了承すればステップ３０４に進む。
【００２５】
ステップ３０４では需要者７に対し妥協条件受入確認をする。需要者７が受入を拒否すればステップ３０２に戻り再度妥協条件を提示する。需要者７が受入を了承すればステップ３０１に戻る。
【００２６】
ステップ１０１、ステップ１０２、ステップ１０３で登録された供給者５の条件とステップ２０１、ステップ２０２、ステップ２０３で登録された需要者７の条件をステップ３０１で照らし合わせ条件が一致する取引があれば、仲介業者１はステップ１０５で条件一致を供給者５に伝える。また供給者１はステップ２０５で条件一致を需要者７に伝える。
【００２７】
ステップ２０５で条件一致を需要者７に伝えたら、仲介業者１がステップ２０６で需要者７に代金振込を依頼する。
【００２８】
ステップ２０６で需要者７による代金の振込が確認されなければ、仲介業者１はステップ２０７で需要者７に対し振込の催促を行う。
【００２９】
ステップ２０６で需要者７による代金の振込が確認されれば、仲介業者１はステップ２０８でリサイクル品配送手配を行う。
ステップ２０８でリサイクル品配送手配を行い、配送が完了したら、仲介業者１はステップ２０９で供給者５へ代金支払を行う。
【図面の簡単な説明】
【００３０】
【図１】図１は本発明を適用するリサイクル品の需給システムを実施するためのハードウエアの構成図を示している。
【図２】図２は本発明を適用するリサイクル品の需給システムを実施するための実行手順を示すフローチャートの例である。
【図３】図３は本発明を適用するリサイクル品提供者の個人情報を示す図である。
【図４】図４は本発明を適用するリサイクル品の詳細情報の例を示す図である。
【図５】図５は本発明を適用するリサイクル品の詳細情報の例を示す図である。
【図６】図６は本発明を適用する住居情報の詳細情報の例を示す図である。
【図７】図７は本発明を適用するリサイクル品需要者の個人情報を示す図である。
【図８】図８は本発明を適用するリサイクル品の詳細情報の例を示す図である。
【図９】図９は本発明を適用するリサイクル品の取引の希望日を指定する図である。
【符号の説明】
【００３１】
１  仲介業者
３  仲介業者のパーソナルコンピュータのサーバー
５  リサイクル品の提供者
７  リサイクル品の需要者
１０  クライアントパーソナルコンピュータ、およびこれらのパーソナルコンピュータを結ぶネットワーク網
１０１  供給者登録ステップ
１０２  供給者リサイクル品提示ステップ
１０３  価格等供給条件提示ステップ
１０５  条件一致を供給者へステップ
２０１  需要者登録ステップ
２０２  需要リサイクル品提示ステップ
２０３  価格等需要条件提示ステップ
２０５  条件一致を需要者へステップ
２０６  代金振込ステップ
２０７  催促ステップ
２０８  リサイクル品配送手配ステップ
２０９  供給者へ代金支払ステップ
３０１  条件一致ステップ
３０２  妥協条件提示ステップ
３０３  妥協条件受入確認ステップ
３０４  妥協条件受入確認ステップ
【図１】
2008102756.tif 000003
【図２】
2008102756.tif 000004
【図３】
2008102756.tif 000005
【図４】
2008102756.tif 000006
【図５】
2008102756.tif 000007
【図６】
2008102756.tif 000008
【図７】
2008102756.tif 000009
【図８】
2008102756.tif 000010
【図９】
2008102756.tif 000011